(57)【要約】【課題】            従来、徘徊者の徘徊を未然に防止するシステムとして、対象となる徘徊者以外の通過や所在では作動することなく、また、検知した場合の通報も受信器を所持している保護者のみに対して行なわれ、周囲に影響を与えることもなく、さらに、徘徊者自身にシステムを感づかれることもなく、しかも安価で個人住宅用として好適な徘徊防止システムが存在していなかったという点である。【解決手段】        徘徊者に装備される発信器と、建築物の出入口近傍に固定設置される生体感知センサーと、その生体感知センサーの入力信号と前記発信器からの発信信号との併合によりＯＮ状態となる中継器と、その中継器から送信信号を受信し、保護者が保持する受信器とより成ることとする。【選択図】          図１
2009064294.tif 000002
【特許請求の範囲】
【請求項１】
徘徊者に装備される発信器と、建築物の出入口近傍に固定設置される生体感知センサーと、その生体感知センサーの入力信号と前記発信器からの発信信号との併合によりＯＮ状態となる中継器と、その中継器から送信信号を受信し、保護者が保持する受信器とより成ることを特徴とする徘徊防止システム。
【請求項２】
前記した発信器は、硬貨程度の小型のものとし、シリコンやエラストマー等の弾性、変形性を有する材料で包み込み、その電波は微弱電波とし、送信、受信は特定小電力でなされることを特徴とする請求項１に記載の徘徊防止システム。
【請求項３】
前記した生体感知センサーは人体感知センサーとし、その感知ゾーンを特定するものであることを特徴とする請求項１または請求項２に記載の徘徊防止システム。
【請求項４】
前記した受信器は、送信場所を告知する文字を表示する表示部と、受信を装着者に伝える振動要素とを有する腕時計タイプのものとしたことを特徴とする請求項１、請求項２または請求項３に記載の徘徊防止システム。
【請求項５】
前記した受信器は、送信場所を告知する文字を表示する表示部と、受信を装着者に伝える振動要素あるいは音声発生要素及び発光要素とを有するポケット収納タイプのものとしたことを特徴とする請求項１、請求項２または請求項３に記載の徘徊防止システム。
【発明の詳細な説明】
【技術分野】
【０００１】
本発明は徘徊防止システム、特に認知症性の老人の徘徊を未然に防止するための徘徊防止システムに関する。
【背景技術】
【０００２】
従来、認知症性の老人の徘徊を防止する装置やシステムは種々のものが開発され、市場にも提供されており、その方式としては徘徊者の一定場所の通過を検知するセンサーや、一定のゾーンを通過あるいは所在していることを検知するゾーンセンサー等を利用するものがあり、この方式によると、その通過や所在を音響的に保護者に通報するもので、徘徊者以外の者の通過等でも検知し、通報がなされてしまい、また、その通報は保護者以外の者にまでなされ、保護者以外は大きな負担となってしまう。また、この方式は徘徊者にも仕組みが解り易く、回避行動をとられてしまうこともある。
【０００３】
また、徘徊者自身に電波の発信器を装着させ、その発信器からの信号を出入口の送信器が検知して、保護者の保持する受信器に通報する方式も知られている。しかし、この場合発信器はペンダント型となっていることが多く、徘徊者はこのペンダント等が自分の行動の障害となっていることを見破る可能性が高い。
【０００４】
さらに、受信器が受ける通報はベルの音やメロディ等の音響となっているので、保護者以外の家族等、周囲の人々もその通報に巻き込むこととなり、深夜、就寝中、早朝等は非常に大きな負担となってしまう。また、この通報を光を用いてすると、特に明るい日中等は余程の注意を受信器に向けていないと通報を見逃してしまうこともある。
【０００５】
これらを解決するため、ＩＣタグを徘徊者の衣服に縫い込み、ゲートセンサーが電波を感知して、受信器へ通報するシステムも存在するが、この場合、ゲートセンサーの価格は非常に高く一般の個人家庭では設置することは困難である。
【特許文献１】出願人は本願発明に関し、先行する技術文献を調査したが、格別に本願発明と類似すると思われる文献を発見することはできなかった。
【発明の開示】
【発明が解決しようとする課題】
【０００６】
本発明が解決しようとする問題点は、従来、徘徊者の徘徊を未然に防止するシステムとして、対象となる徘徊者以外の通過や所在では作動することなく、また、検知した場合の通報も受信器を所持している保護者のみに対して行なわれ、周囲に影響を与えることもなく、さらに、徘徊者自身にシステムを感づかれることもなく、しかも安価で個人住宅用として好適な徘徊防止システムが存在していなかったという点である。
【課題を解決するための手段】
【０００７】
上記した問題点を解決するために、本発明に係る徘徊防止システムは徘徊者に装備される発信器と、建築物の出入口近傍に固定設置される生体感知センサーと、その生体感知センサーの入力信号と前記発信器からの発信信号との併合によりＯＮ状態となる中継器と、その中継器から送信信号を受信し、保護者が保持する受信器とより成ることを特徴とし、前記した発信器は、硬貨程度の小型のものとし、シリコンやエラストマー等の弾性、変形性を有する材料で包み込み、その電波は微弱電波とし、送信、受信は特定小電力でなされることを特徴とし、前記した生体感知センサーは人体感知センサーとし、その感知ゾーンを特定するものであることを特徴としている。
【０００８】
また、本発明に係る徘徊防止システムは前記した受信器は、送信場所を告知する文字を表示する表示部と、受信を装着者に伝える振動要素とを有する腕時計タイプのものとしたことを特徴とし、前記した受信器は、送信場所を告知する文字を表示する表示部と、受信を装着者に伝える振動要素あるいは音声発生要素及び発光要素とを有するポケット収納タイプのものとしたことを特徴としている。
【発明の効果】
【０００９】
本発明に係る徘徊防止システムは上記のように構成されている。そのために、対象となる徘徊者に装着される発信器は、徘徊者自身にそれと気付かれ、回避行動をとられてしまうような虞もなく、通報も保護者が身に付けている受信器に、その保護者のみに対して行なわれることとなり、周囲に負担をかけることもなくなる。
【００１０】
また、通報の発信はあくまで対象者となる徘徊者がセンサーに感知された場合のみに限られ、その他の者がセンサーに捉えられてもシステムが作動してしまうこともなくなる。また、受信器には「ゲンカン」、「カッテグチ」等の文字が表示されるので、徘徊者の位置確認も即時に行なえ、その受信器は振動を主体として保持している保護者に伝達するため、保護者は日常の業務を通常に行なっていることが可能で、受信器の光による通知に目をこらしたり、ブザー音等に耳をそばだてている必要性は全くなくなる。
【発明を実施するための最良の形態】
【００１１】
図面として示し、実施例として説明をしたように構成することで実現した。
【実施例１】
【００１２】
次に、本発明の好ましい実施の一例を図面を参照して説明する。図１は本発明に係る徘徊防止システムを示す概念図である。
【００１３】
この図１にあってＡは対象となる徘徊者を示している。この徘徊者Ａには発信器１が装備されることとなるが、この発信器１は略１００円硬貨程度の平面積として円形や矩形のチップ状をした小型のものとし、厚さも３〜４ｍｍ程度のものとして内部に電池が内蔵され、全体をシリコンやエラストマー等の弾性、変形性を有する材料で包み込んだものとなっており、外的衝撃による破壊を防止している。
【００１４】
この発信器１は徘徊者Ａの下着を含めた衣類の折り返し部分等に縫い込み等の手段によって固着されるものとなっており、徘徊者Ａにその存在を気付かれ、除去されてしまったり、回避行動をとられてしまうことを防止し、かつ、徘徊者Ａにとって、重量的やサイズ的に違和感を与えることがないように図られている。
【００１５】
また、図１中にＢとして示す家屋の出入口Ｂの近傍には生体、特に人体の感知センサー２が取り付けられている。この感知センサー２は体温等に反応して、ゾーン２ａ内に人間が入った場合、それを検知するものとなっている。
【００１６】
さらに、図中３は中継器を示し、この中継器３は感知センサー２が人体を検知した際、即ち、ゾーン２ａ内に人間が入った時に電源がＯＮとされる。この中継器の電源をＯＮさせる作用は中継器３内の微弱電波受信器が作動することにより、感知センサー２からの微弱電波による発信信号を受信することによりなされる。
【００１７】
ここで、ゾーン２ａ内に、発信器１を持たない人が入った場合、一旦、中継器３の電源はＯＮとされるが、発信器１からの信号がないため情報の送信はされることがなく、当該者が感知センサー２のゾーン２ａ外のゾーン２ｂに出れば自動的に中継器３の電源はＯＦＦの状況とされる。
【００１８】
一方、図中４ａ、４ｂは保護者が保持する受信器を示している。この受信器４ａあるいは４ｂに対しては、感知センサー２がゾーン２ａ内に人間が入ったことを検知して中継器３の電源をＯＮとした状態にあって、徘徊者Ａに装備される発信器１からの微弱電波がトリガーとなって、この中継器３から徘徊者Ａの位置を示す情報が送信されることとなっている。
【００１９】
前記した受信器４ａは腕時計タイプのものとされ、保護者が自らの手首に装着して使用するものとなっている。この受信器４ａは裏蓋やバンド部分等の任意の個所にバイブレーションモータ等の振動源が設けられており、中継器３からの送信を内蔵アンテナが受信すると、その振動源が作動して、その受信を装着者である保護者に伝達する。また、表面側には表示部５が設けられ、この表示部５には送信されてきた中継器３の位置、即ち、徘徊者Ａが通過しようとしている場所を示す１０文字以内の表示、例えば「ゲンカン」、「カッテグチ」等の表示がなされ、保護者は即時に徘徊者Ａの位置確認を行なうことができる。なお、この受信器４ａの場合、通常の時計としての作用もなし、時刻表示やタイマー機能及び中継器３からの情報をメモリーしておく機能も有する。
【００２０】
また、受信器４ｂの場合は略直方体とされたポケット収納用のものとなっており、受信器４ａと同様なバイブレーションモータ等の振動源、光あるいは鳴動ブザー等の音声発生手段、もしくはその三者が設けられたものとなっており、その振動や音声もしくはその両者によって、中継器３からの送信を保護者に伝達する。この受信器４ｂの場合も表面側に表示部５ａが設けられており、前記したと同様な１０文字以内の表示がなされるとともに、時刻表示やタイマー機能及び中継器３からの情報をメモリーしておく機能も有する。
【産業上の利用可能性】
【００２１】
本発明に係る徘徊防止システムは上記のように構成されている。主たる対象となる徘徊者は認知症性の老人としているが、勿論対象はこれに限られるものではなく、幼児や屋内で飼育する犬、猫、小鳥等のペット類に対しても応用実施することができる。
【図面の簡単な説明】
【００２２】
【図１】本発明を実施した徘徊防止システムを示す概念図である。
【符号の説明】
【００２３】
１    発信器
２    感知センサー
２ａ  感知ゾーン
２ｂ  感知外ゾーン
３    中継器
４ａ  受信器
４ｂ  受信器
５    表示部
５ａ  表示部
Ａ    対象徘徊者
Ｂ    出入口
【図１】
2009064294.tif 000003